(57)【特許請求の範囲】
【請求項１】
複数のレンズ装置を含むレンズ装置システムであって、該複数のレンズ装置それぞれは、
前記複数のレンズ装置の中の他のレンズ装置を含む複数の制御元、からの制御指令に従って駆動可能な光学部材と、
前記他のレンズ装置と通信する通信手段と、
前記光学部材を、マスター駆動状態またはスレーブ駆動状態を含む複数の駆動状態のうちの１つに設定する、設定手段と、
前記光学部材に設定されている駆動状態を判別する判別手段と、
前記光学部材の駆動状態ごとに、前記複数の制御元からの制御指令のうち優先順位の高い制御元からの制御指令を優先的に駆動指令として選択するための優先順位を決定するための制御元情報を出力する出力部と、
前記制御元情報に基づいて対応する光学部材の駆動を制御する指令を決定する指令決定手段と、
を有し、
マスター駆動状態に設定された前記光学部材を駆動する場合は、前記通信手段は、前記他のレンズ装置の対応する光学部材に対して制御指令を出力し、
スレーブ駆動状態においては、前記出力部はマスター駆動状態における制御元情報とは異なる制御元情報を出力し、マスター駆動状態に設定された前記他のレンズ装置から出力された制御指令のうち前記光学部材を駆動させる指令である操作指令は、前記制御元情報の中で最も高い優先度を有する、
ことを特徴とするレンズ装置システム。
【請求項２】
前記出力部は、前記スレーブ駆動状態である場合、前記制御元情報の中で、他のレンズ装置からの制御指令以外を無効とする、ことを特徴とする請求項１に記載のレンズ装置システム。
【請求項３】
前記出力部は、前記スレーブ駆動状態である場合、前記制御元情報の中で、前記光学部材の特定の制御元からの制御指令を無効とする、ことを特徴とする請求項１に記載のレンズ装置システム。
【請求項４】
前記特定の制御元からの制御指令は、ショット機能の指令、プリセット機能の指令、画角補正機能の指令、自動焦点調整機能の指令、防振機能の指令、アイリス補正機能の指令、クローズ検出機能の指令、レンズ装置に実装されている操作機構の指令、レンズ装置の外部からレンズ装置内の光学部材を操作するコントローラからの指令、のうちいずれか１以上であることを特徴とする、請求項３に記載のレンズ装置システム。
【請求項５】
前記レンズ装置は、前記複数の制御元のうち一つ以上の制御元に関する設定情報を変更する設定変更手段を有し、
前記スレーブ駆動状態である場合は、無効にした制御元に関して、前記設定変更手段による設定情報の変更を許可しない、
ことを特徴とする、請求項２乃至４のいずれか１項に記載のレンズ装置システム。
【請求項６】
複数のレンズ装置を含むレンズ装置システムであって、該複数のレンズ装置それぞれは、
前記複数のレンズ装置の中の他のレンズ装置を含む複数の制御元、からの制御指令に従って駆動可能な光学部材であって、該光学部材の駆動を制限する機能を有する光学部材と、
前記複数のレンズ装置の中の他のレンズ装置の対応する光学部材を駆動するための制御指令を前記他のレンズ装置に出力するマスター駆動状態、または、マスター駆動状態の前記他のレンズ装置からの制御指令に基づき、前記複数のレンズ装置の中の前記光学部材を駆動するスレーブ駆動状態、を判別する判別手段と、
スレーブ駆動状態であるときに、前記複数のレンズ装置の前記光学部材の駆動を制限する機能を無効にする手段と、
を有することを特徴とするレンズ装置システム。
【請求項７】
前記複数のレンズ装置の前記光学部材の駆動を制限する機能は、駆動範囲を制限する機能、駆動速度を制限する機能、または、駆動のゲインを制限する機能である、ことを特徴とする請求項６に記載のレンズ装置システム。
【請求項８】
前記レンズ装置は、前記光学部材の駆動を制限する機能についての設定情報を変更する設定変更手段を有し、
前記スレーブ駆動状態であるときは、該設定変更手段による前記設定情報の変更を許可しない、
ことを特徴とする請求項６または７に記載のレンズ装置システム。
【請求項９】
前記光学部材は、画角を変更するズームレンズ、フォーカスを調節するフォーカスレンズ、防振機構、アイリス、光路に対して挿脱するエクステンダーレンズ、またはマクロレンズ、である、ことを特徴とする請求項１乃至８の何れか１項に記載のレンズ装置システム。
【請求項１０】
請求項１乃至９のいずれか１項に記載のレンズ装置システムを含む撮像システム。
【請求項１１】
他のレンズ装置を含む複数の制御元、からの制御指令に従って駆動可能な光学部材と、
前記他のレンズ装置と通信する通信手段と、
前記光学部材を、マスター駆動状態またはスレーブ駆動状態を含む複数の駆動状態のうちの１つに設定する、設定手段と、
前記光学部材に設定されている駆動状態を判別する判別手段と、
前記光学部材の駆動状態ごとに、前記複数の制御元からの制御指令のうち優先順位の高い制御元からの制御指令を優先的に駆動指令として選択するための優先順位を決定するための制御元情報を出力する出力部と、
前記制御元情報に基づいて対応する光学部材の駆動を制御する指令を決定する指令決定手段と、
を有し、
マスター駆動状態に設定された前記光学部材を駆動する場合は、前記通信手段は、前記他のレンズ装置の対応する光学部材に対して制御指令を出力し、
スレーブ駆動状態においては、前記出力部はマスター駆動状態における制御元情報とは異なる制御元情報を出力し、マスター駆動状態に設定された前記他のレンズ装置から出力された制御指令のうち前記光学部材を駆動させる指令である操作指令は、前記制御元情報の中で最も高い優先度を有する、
ことを特徴とするレンズ装置。
【請求項１２】
前記出力部は、前記スレーブ駆動状態である場合、前記制御元情報の中で、他のレンズ装置からの制御指令以外を無効とする、ことを特徴とする請求項１１に記載のレンズ装置。
【請求項１３】
前記出力部は、前記スレーブ駆動状態である場合、前記制御元情報の中で、前記光学部材の特定の制御元からの制御指令を無効とする、ことを特徴とする請求項１１に記載のレンズ装置。
【請求項１４】
前記特定の制御元からの制御指令は、ショット機能の指令、プリセット機能の指令、画角補正機能の指令、自動焦点調整機能の指令、防振機能の指令、アイリス補正機能の指令、クローズ検出機能の指令、レンズ装置に実装されている操作機構の指令、レンズ装置の外部からレンズ装置内の光学部材を操作するコントローラからの指令、のうちいずれか１以上であることを特徴とする、請求項１３に記載のレンズ装置。
【請求項１５】
前記レンズ装置は、前記複数の制御元のうち一つ以上の制御元に関する設定情報を変更する設定変更手段を有し、
前記スレーブ駆動状態である場合は、無効にした制御元に関して、前記設定変更手段による設定情報の変更を許可しない、
ことを特徴とする、請求項１２乃至１４のいずれか１項に記載のレンズ装置。
【請求項１６】
他のレンズ装置を含む複数の制御元からの制御指令に従って駆動可能な光学部材と、
前記光学部材の駆動を制御する制御手段と、
他のレンズ装置と通信する通信手段と、
前記光学部材をマスター駆動状態とスレーブ駆動状態とを含む優先駆動状態の１つに設定する設定手段と、
前記制御手段または前記他のレンズ装置からの制御命令を優先的に選択するために使用される優先順位を特定する情報に基づいて前記光学部材の駆動を制御する制御命令を決定する決定手段と、
を備え、
前記通信手段は、前記光学部材がマスター駆動状態に設定されている場合は、前記他のレンズ装置の対応する光学部材のための制御命令を出力し、
前記光学部材がスレーブ駆動状態に設定されている場合は、前記決定手段は、マスター駆動状態に設定されている場合の情報とは異なる情報に基づく制御命令を決定する、
ことを特徴とするレンズ装置。
【請求項１７】
マスター駆動状態にある前記他のレンズ装置からの制御命令は、スレーブ駆動状態にある情報の中で最も優先順位が高いことを特徴とする請求項１６に記載のレンズ装置。
【請求項１８】
スレーブ駆動状態において、前記決定手段は前記情報の中で他のレンズ装置からの前記制御命令以外の前記制御命令を無効とすることを特徴とする請求項１６に記載のレンズ装置。
【請求項１９】
スレーブ駆動状態において、前記決定手段は前記情報の中で前記複数のレンズ装置の前記少なくとも１つの光学部材の特定の制御元から前記制御命令を無効とすることを特徴とする請求項１６に記載のレンズ装置。
【請求項２０】
前記複数の制御元の中で１以上の制御元に関する設定情報を変更する設定変更手段を備え、
スレーブ駆動状態において、前記設定変更手段によって無効とされた制御元に関する前記設定情報は変更できない、
ことを特徴とする請求項１６に記載のレンズ装置。
【請求項２１】
前記１以上の光学部材は、画角を変更するズームレンズ、焦点調整をするフォーカスレンズ、防振機能、アイリス、光路に挿抜されるエクステンダーレンズの少なくともいずれか１つを含む、ことを特徴とする請求項１６に記載のレンズ装置。
【請求項２２】
他のレンズ装置を含む複数の制御元からの制御指令に従って駆動可能な光学部材であって、該光学部材の駆動を制限する機能を有する光学部材と、
前記他のレンズ装置の対応する光学部材を駆動するための制御指令を前記他のレンズ装置に出力するマスター駆動状態、または、マスター駆動状態の前記他のレンズ装置からの制御指令に基づき、前記光学部材を駆動するスレーブ駆動状態、を判別する判別手段と、
スレーブ駆動状態であるときに、前記光学部材の駆動を制限する機能を無効にする手段と、
を有することを特徴とするレンズ装置。
【請求項２３】
前記光学部材の駆動を制限する機能は、駆動範囲を制限する機能、駆動速度を制限する機能、または、駆動のゲインを制限する機能である、ことを特徴とする請求項２２に記載のレンズ装置。
【請求項２４】
前記レンズ装置は、前記光学部材の駆動を制限する機能についての設定情報を変更する設定変更手段を有し、
前記スレーブ駆動状態であるときは、該設定変更手段による前記設定情報の変更を許可しない、
ことを特徴とする請求項２２または２３に記載のレンズ装置。
【請求項２５】
前記光学部材は、画角を変更するズームレンズ、フォーカスを調節するフォーカスレンズ、防振機構、アイリス、光路に対して挿脱するエクステンダーレンズ、またはマクロレンズ、である、ことを特徴とする請求項２２乃至２４のいずれか１項に記載のレンズ装置。
【発明の詳細な説明】
【技術分野】
【０００１】
本発明は、レンズ装置及びそれを含む撮像システムに関し、特に立体撮影等、複数台の撮像システムの運用に関するものである。
【背景技術】
【０００２】
従来から、立体撮影を行う際に、単体で利用可能な撮像システムを複数台利用し、立体撮影を行う立体撮影システムが知られている。一方、立体撮影では、左右の画像の微妙なずれが発生するだけで視聴者に違和感を覚えさせるだけでなく、不快感や疲労感を与えてしまうこともある。そのため、このような立体撮影システムでは、複数台の撮像システム間の対応する駆動可能な光学部材の位置を常に等しくする必要がある。従来のシステムにおいては、複数台の撮像システム間の対応する駆動可能な光学部材の位置を常に等しくする方法として、以下のような技術が知られている。
【０００３】
例えば、特許文献１では、２つのズームレンズのうち一方をマスター側、他方をスレーブ側とし、スレーブ側のレンズをマスター側のレンズの移動に追従させて駆動する駆動装置が開示されている。
【０００４】
また、特許文献２では複数台の撮像装置の設定を合わせることができる撮像システムが開示されている。この提案によると、他の撮像装置が設定を変更するタイミングに同期して設定を変更するので、複数の撮像装置の稼働中にも撮像装置の設定を適切に変更できる。
【先行技術文献】
【特許文献】
【０００５】
【特許文献１】特開平９−１２７４００号公報
【特許文献２】特開２００８−１５４０７３号公報
【発明の概要】
【発明が解決しようとする課題】
【０００６】
しかしながら、上述の特許文献１に開示された従来技術では、スレーブ側のレンズにマスター側のレンズに追従させるもの以外のコントロール、特に撮像システム内に搭載されている自動駆動機能からコントロールが入った場合については特に記載されていない。さらに、スレーブ側の撮像システムに設定されている機能によって追従ができなくなることについても考慮されていない。
【０００７】
実際、スレーブ側の撮像システムで駆動範囲や最高速度を制限させる機能が有効になっていた場合、マスター側のレンズの動きに追従しきれなくなってしまう。
【０００８】
また、上述の特許文献２に開示された従来技術で撮像システムの機能に関する設定情報を同期させると、マスター側の撮像システムとスレーブ側の撮像システムが同じ設定になってしまう。すなわち、各々に最適な設定を行うには別々に設定する必要があった。
【０００９】
そこで、本発明の目的は、単体でも運用可能な撮像システムにおいて、立体撮影システムとして運用する際に、マスター側の撮像システム、スレーブ側の撮像システム双方で最適な設定に切り替えることを可能にした撮像システムを提供することである。
【課題を解決するための手段】
【００１０】
上記目的を達成するために、複数のレンズ装置を含むレンズ装置システムであって、該複数のレンズ装置それぞれは、前記複数のレンズ装置の中の他のレンズ装置を含む複数の制御元、からの制御指令に従って駆動可能な光学部材と、前記他のレンズ装置と通信する通信手段と、前記光学部材を、マスター駆動状態またはスレーブ駆動状態を含む複数の駆動状態のうちの１つに設定する、設定手段と、前記光学部材に設定されている駆動状態を判別する判別手段と、前記光学部材の駆動状態ごとに、前記複数の制御元からの制御指令のうち優先順位の高い制御元からの制御指令を優先的に駆動指令として選択するための優先順位を決定するための制御元情報を出力する出力部と、前記制御元情報に基づいて対応する光学部材の駆動を制御する指令を決定する指令決定手段と、を有し、マスター駆動状態に設定された前記光学部材を駆動する場合は、前記通信手段は、前記他のレンズ装置の対応する光学部材に対して制御指令を出力し、スレーブ駆動状態においては、前記出力部はマスター駆動状態における制御元情報とは異なる制御元情報を出力し、マスター駆動状態に設定された前記他のレンズ装置から出力された制御指令のうち前記光学部材を駆動させる指令である操作指令は、前記制御元情報の中で最も高い優先度を有する、ことを特徴とする。
【発明の効果】
【００１１】
本発明によれば、単体でも運用可能な撮像システムにおいて、立体撮影システムとして運用する際に、マスター側の撮像システム、スレーブ側の撮像システム双方で最適な設定に切り替えることを可能にした撮像システムを提供することである。
【図面の簡単な説明】
【００１２】
【図１】第１の実施例の構成ブロック図
【図２】レンズ装置内の構成と指令の流れを示す図
【図３】優先度テーブル１を用いた時のＡＦ機能の働きを示す図
【図４】優先度テーブル２を用いた時のＡＦ機能の働きを示す図
【図５】第１の実施例のフローチャート
【図６】第２の実施例の構成ブロック図
【図７】第２の実施例の機能を無効にする処理のフローチャート
【図８】第２の実施例の設定の変更を許可しない処理のフローチャート
【図９】第３の実施例の構成ブロック図
【図１０】第３の実施例での効果を示す図
【図１１】第３の実施例のフローチャート
【図１２】１台のマスター装置と複数のスレーブ装置を有する撮像システムの構成イメージ図
【図１３】１台のマスター装置と複数のスレーブ装置を直列に接続する撮像システムの構成イメージ図
【発明を実施するための形態】
【００１３】
以下に、本発明の好ましい実施の形態を、添付の図面に基づいて詳細に説明する。
【実施例１】
【００１４】
図１は本発明の第１の実施例の撮像システムの構成ブロック図である。
本発明の撮像システムは、同じ構成を持つレンズ装置Ａ１０とレンズ装置Ｂ１１を有する。これらのレンズ装置は、単体で運用する単体運用モード（単体モード）、又は、レンズ装置を接続して互いに通信を行い光学部材の同期運用を行う３Ｄ同期運用モード（複数モード）、の何れかの運用モードで運用される。
【００１５】
また、３Ｄ同期運用モードのときには、レンズ装置に含まれる光学部材は、それぞれの駆動状態がマスター（第２の駆動状態）又はスレーブ（第３の駆動状態）に設定されて駆動される。ここで、マスター駆動状態の光学部材を持つレンズ装置は、他のレンズ装置へ該光学部材の同期駆動を行うための操作指令を出し、スレーブ駆動状態の光学部材を持つレンズ装置は、他のレンズ装置からの該光学部材の操作指令に基づいて該光学部材を駆動する。なお、単体運用モードであるレンズ装置に対しては、全ての光学部材が、他のレンズ装置の光学部材と同期駆動を行わない単体駆動状態（第１の駆動状態）で駆動される。
【００１６】
すなわち、表１に示すように、運用モードはレンズ装置ごとに単体運用モード又は３Ｄ同期運用モードのどちらかが設定され、レンズ装置に含まれる光学部材ごとに、単体駆動・マスター駆動・スレーブ駆動の何れかの駆動状態が設定される。
【表１】
0005828656.tif 000002
【００１７】
図１のブロック図の説明に戻る。
以下、光学部材がフォーカスレンズのときの実施例について説明する。
レンズ装置Ａ１０に対してフォーカス操作部材Ａ１２よりフォーカス操作指令が与えられ、レンズ装置Ｂ１１に対してフォーカス操作部材Ｂ１３よりフォーカス操作指令が与えられる。
レンズ装置Ａ１０、レンズ装置Ｂ１１には、カメラ等の撮像装置Ａ１４、撮像装置Ｂ１５がそれぞれ接続されている。
【００１８】
次に、レンズ装置Ａ１０の内部構成について説明する。
レンズ装置Ａ１０は、光学部材であるフォーカスレンズ１００２を有し、フォーカスレンズ１００２はモータ１００５により光軸方向へ進退駆動する。フォーカスレンズ１００２の位置は、位置検出部１００３により検出される。駆動制御部１００４は、後述する駆動指令決定手段１０１２からの駆動指令と位置検出部１００３からの位置信号からモータ１００５の駆動量を算出し、駆動量に対応した駆動電流を前記モータ１００５へ出力する。
【００１９】
フォーカスレンズ１００２、モータ１００５、位置検出部１００３、駆動制御部１００４によって、駆動機構１００１が構成されている。
運用モード設定手段１００７（モード切替手段）は、レンズ装置Ａ１０の運用モードを単体運用モード又は３Ｄ同期運用モードに設定する手段であり、たとえばスイッチや、スイッチとディスプレイで構成されたユーザーインターフェース部で構成される。マスター・スレーブ設定手段１００８（駆動状態設定手段）は、レンズ装置内の光学部材ごとに、マスター駆動かスレーブ駆動かの駆動状態を設定する手段であり、たとえばスイッチとディスプレイで構成されたユーザーインターフェース部で構成される。
【００２０】
駆動状態判別手段１００９は、各光学部材が単体駆動・マスター駆動・スレーブ駆動、の駆動状態のうち、どれに設定されているかを判別する手段である。運用モード設定手段１００７で単体運用モードが設定された場合は、駆動状態判別手段１００９は、全ての光学部材において単体駆動と判別する。運用モード設定手段１００７で３Ｄ同期運用モードが設定された場合において、マスター・スレーブ設定手段１００８によって光学部材（ここではフォーカスレンズ）がマスター駆動に設定されている場合はマスター駆動と判別し、スレーブ駆動に設定されている場合はスレーブ駆動と判別する。また、駆動状態判別手段１００９は、運用モード設定手段１００７の設定から、レンズ装置が、単体運用モードに設定されているか、又は、３Ｄ同期運用モードに設定されているかの判別も行う。
制御元情報出力部１０１４は、駆動状態に従って、どの制御指令に従って光学部材を駆動するかに関する制御元情報を決定し、駆動指令決定手段１０１２に出力する。制御元情報の決定方法については後述する。
【００２１】
通信部１００６を介して、レンズ装置Ａ１０は、フォーカス操作部材Ａ１２や、撮像装置Ａ１４、レンズ装置Ｂ１１等の外部の機器と通信を行う。レンズ装置Ａ１０に実装されたフォーカス操作機構１０１０は、フォーカスを操作するための機構であり、たとえばフォーカスノブ等の構成を有する。ＡＦ機能制御部１０１１は、自動焦点調整機能（以後ＡＦ機能）によるフォーカスレンズ１００２の操作指令を生成する。
【００２２】
駆動指令決定手段１０１２は、制御元情報に基づいて、レンズ装置Ａ１０の外部またはレンズ装置Ａ１０の内部からの操作指令を、フォーカスレンズ１００２を駆動するための駆動指令に変換する手段である。外部からの操作指令としては、フォーカス操作部材Ａ１２、撮像装置Ａ１４、レンズ装置Ｂ１１、或いは、ＰＣやその他のデマンドなどのコントローラ等、からの操作指令があり、駆動指令決定手段１０１２は通信部１００６を介して操作指令を受け取る。内部からの操作指令としては、フォーカス操作機構１０１０からの操作指令、またＡＦ機能制御部１０１１などのフォーカスレンズ１００２を自動駆動させるレンズ装置内蔵の機能からの操作指令等がある。
【００２３】
操作指令生成部１０１３は、３Ｄ同期運用モード時に、他のレンズ装置のフォーカスレンズを同期制御するための操作指令を生成して、操作指令を他のレンズ装置に出力する。操作指令の生成には、駆動制御部１００４の持つフォーカスレンズの駆動指令の情報や、位置検出部１００３で検出された現在のフォーカスレンズ１００２の位置情報が利用される。
【００２４】
ここで、運用モード及び駆動状態の実際の動きについて、３Ｄ同期運用モードである２台のレンズ装置の操作指令の流れを、図２を用いて説明する。なお、図２のレンズ装置は図１のレンズ装置と同じ構成を持つが、説明のため簡略化している。また、レンズ装置Ｙ及びレンズ装置Ｚは中継ケーブルで接続されており、表１で示す駆動状態となっている。つまり、フォーカスについては、レンズ装置Ｙがマスター、レンズ装置Ｚがスレーブに設定され、ズームについては、レンズ装置Ｙがスレーブ、レンズ装置Ｚがマスターに設定されている。説明はフォーカス、ズームについて行うが、その他の光学部材についても同様である。
【００２５】
まず、フォーカス操作指令は、フォーカス操作部材１２から出力される。
レンズ装置Ｙにフォーカス操作指令が入力されると、通信部１００６Ｙを経由して駆動指令決定手段１０１２Ｙに受け渡される。駆動指令決定手段１０１２Ｙでは、受け取った操作指令を元に駆動指令を決定し、フォーカス駆動機構１００１Ｙへと受け渡す。
【００２６】
フォーカス駆動機構１００１Ｙでは、駆動指令から実際の駆動量の算出とフォーカスレンズの駆動が行われる。ここで、レンズ装置Ｙはフォーカスがマスター駆動状態のため、操作指令生成部１０１３Ｙにて他のレンズ装置を同期制御する操作指令を生成し、通信部１００６Ｙに出力する。操作指令の生成には、フォーカス駆動機構１００１Ｙからの駆動指令の情報やフォーカスレンズの位置情報が利用される。
【００２７】
レンズ装置Ｙとレンズ装置Ｚは中継ケーブルにて同期運用を行っているので、操作指令生成部１０１３Ｙから出力された操作指令はレンズ装置Ｙの通信部１００６Ｙから出力され、レンズ装置間の中継ケーブルを介してレンズ装置Ｚの通信部１００６Ｚに入力される。レンズ装置Ｚにフォーカス操作指令が入力されると、通信部１００６Ｚを経由して駆動指令決定手段１０１２Ｚに受け渡される。駆動指令決定手段１０１２Ｚでは、受け取った操作指令を元に駆動指令を決定し、フォーカス駆動機構１００１Ｚへと受け渡す。フォーカス駆動機構１００１Ｚでは、駆動指令から実際の駆動量の算出とフォーカスレンズの駆動が行われる。
【００２８】
同様に、ズーム操作指令は、ズーム操作部材３３から出力される。
レンズ装置Ｚにズーム操作指令が入力されると、通信部１００６Ｚを経由して駆動指令決定手段３０１２Ｚに受け渡される。駆動指令決定手段３０１２Ｚでは、受け取った操作指令を元に駆動指令を決定し、ズーム駆動機構３００１Ｚへと受け渡す。ズーム駆動機構３００１Ｚでは、駆動指令から実際の駆動量の算出とズームレンズの駆動が行われる。ここで、レンズ装置Ｚはズームがマスター駆動状態のため、操作指令生成部３０１３Ｚにて他のレンズ装置を同期制御する操作指令を生成し、通信部１００６Ｚに出力する。操作指令の生成には、ズーム駆動機構３００１Ｚからの駆動指令の情報やズームレンズの位置情報が利用される。
【００２９】
レンズ装置Ｙとレンズ装置Ｚは中継ケーブルにて同期運用を行っているので、操作指令生成部３０１３Ｚから出力された操作指令はレンズ装置Ｚの通信部１００６Ｚから出力され、レンズ装置間の中継ケーブルを介してレンズ装置Ｙの通信部１００６Ｙに入力される。レンズ装置Ｙにズーム操作指令が入力されると、通信部１００６Ｙを経由して駆動指令決定手段３０１２Ｙに受け渡される。駆動指令決定手段３０１２Ｙでは、受け取った操作指令を元に駆動指令を決定し、ズーム駆動機構３００１Ｙへと受け渡す。ズーム駆動機構３００１Ｙでは、駆動指令から実際の駆動量の算出とズームレンズの駆動が行われる。
【００３０】
次に、駆動指令決定手段１０１２における制御元情報の決定方法について説明する。本実施例では、制御元情報は、各制御元の操作指令の優先度テーブルである。駆動指令決定手段１０１２は、現在有効な各制御元の操作指令のうち、優先度テーブルの中で規定されている優先度に従い、優先度の高い操作指令を優先的に駆動指令として選択する。
【００３１】
表２に、単体駆動、マスター駆動、スレーブ駆動における優先順位を示した優先度テーブルを示す。
【表２】
0005828656.tif 000003
【００３２】
単体駆動とマスター駆動における優先順位は、同じであり、他のレンズ装置からの操作指令の優先度を下げ、カメラやデマンド、ＡＦ機能からの操作によって駆動することができる。スレーブ駆動においては、他のレンズ装置からの操作指令に最高の優先度を与えることで、フォーカスがスレーブに設定されているレンズ装置側のカメラやデマンド、ＡＦ機能による操作に対し、優先的に他の（フォーカスがマスターに設定されている）レンズ装置からの操作指令で駆動することが可能となる。これにより、スレーブ駆動しているレンズ装置のフォーカスレンズは、マスター駆動しているレンズ装置のフォーカスレンズに同期して駆動することができる。
【００３３】
図３はＡＦ実行時において３Ｄ同期運用モードでの図１に示したフォーカスレンズ１００２の動きを示した図である。位置ｐはフォーカスがマスター駆動に設定されているレンズ装置のフォーカスレンズ１００２の位置であり、マスター駆動のレンズ装置は、他のレンズ装置に、フォーカスレンズが位置ｐへ駆動するように操作指令を出力する。撮像面ｑはフォーカスがマスター駆動に設定されているレンズ装置に接続されている撮像装置の撮像面であり、撮像面ｒはフォーカスがスレーブ駆動に設定されているレンズ装置に接続されている撮像装置の撮像面である。図３（ａ）はフォーカスがマスター駆動に設定されているレンズ装置でのフォーカスレンズの状態を示している。図３（ｂ）は、フォーカスがスレーブ駆動に設定されているレンズ装置であって、ＡＦ機能からの操作指令の優先度が他のレンズ装置からの操作指令の優先度よりも高い場合（単体駆動（マスター駆動）と同じフォーカスに対する駆動指令の優先順位である場合）のフォーカスレンズの状態を示す。図３（ｃ）は、本実施例のように、フォーカスがスレーブ駆動に設定されているレンズ装置で、ＡＦ機能からの操作指令の優先度を他のレンズ装置からの操作指令よりも低くした場合のフォーカスレンズの状態を示す。
【００３４】
フォーカスがスレーブ駆動に設定されているレンズ装置においてＡＦ機能からの操作指令の優先度が他のレンズ装置からの操作指令の優先度よりも高い場合、それぞれのレンズ装置のＡＦ機能で検出された被写体が異なると、図３（ｂ）で示すように、フォーカスがスレーブ駆動のレンズ装置のフォーカスレンズは位置ｐとは異なる位置に駆動する。そこで、当該レンズ自身のＡＦ機能からの指令の優先度を他のレンズ装置からの操作指令の優先度よりも下げることで、図３（ｃ）で示すように、フォーカスがスレーブ駆動に設定されているレンズ装置のフォーカスレンズも位置ｐに駆動することができる。
以上により、マスター駆動及びスレーブ駆動のフォーカスレンズの同期駆動を行うことができる。
【００３５】
【表３】
0005828656.tif 000004
表３に、ＡＦ機能でそれぞれのレンズ装置に接続されている撮像装置の撮像面にピント位置を追い込むことを可能とした優先度テーブルを示す。
【００３６】
ここでの特徴として、「現在の指令位置からある範囲ｎ内でのＡＦ機能からの操作指令」の優先度は、「他のレンズ装置の停止指令」の優先度よりも高く設定している。範囲ｎについては後述する。また、操作指令とは、指令信号の指示値とレンズ装置の当該可動部の現在の位置との差が所定値より大きい場合の指令であり、停止指令とは、指令信号の指示値と現在位置との差分がゼロかまたはある所定の範囲内に収まる場合の指令のことである。
【００３７】
この優先度テーブルを利用してＡＦ機能でそれぞれのレンズ装置に接続されている撮像装置の撮像面にピント位置を追い込む方法を、図４を利用して説明する。フォーカスレンズ１００２、位置ｐ、フォーカスがマスターに設定されているレンズ装置が接続されている撮像装置の撮像面ｑ、フォーカスがスレーブに設定されているレンズ装置が接続されている撮像装置の撮像面ｒ、フォーカスがマスターに設定されているレンズ装置のフォーカスレンズの駆動位置の状態（ａ）は図３と共通である。一般に、レンズ装置や撮像装置の製造誤差等のばらつきによって、撮像面ｑと撮像面ｒの位置にずれがある場合があり、ここでは撮像面のずれｍとして図中に記載する。範囲ｎは、フォーカスがスレーブに設定されているレンズ装置において、ＡＦ機能からの操作指令に付与される優先度が高くなるフォーカスレンズの駆動範囲である。この範囲ｎは、位置ｐ（フォーカスがマスターのレンズ装置からのフォーカス操作指令の位置）を中心とするフォーカスがスレーブのレンズ装置のフォーカスレンズの駆動範囲であって、撮像面のずれｍを吸収できる幅を持っている。たとえばｎは、撮像面の最大ずれ量を算出した結果から求められる。ＡＦ機能は、この範囲ｎ内でフォーカスする被写体を選択し、フォーカスレンズ１００２を駆動する。
【００３８】
図４（ｂ）、（ｃ）は共に、撮像面ｑと撮像面ｒとの間に撮像面のずれｍが発生している状況下でのフォーカスがスレーブのレンズ装置のフォーカスレンズの状態を示す。図４（ｂ）は、図３（ｃ）と同様に、ＡＦ機能からの操作指令の優先度を他のレンズ装置からの操作指令よりも低くした場合のフォーカスレンズの状態である。ここでの優先度テーブルは表２で示すものである。図４（ｃ）は、現在の指令位置からある範囲内でのＡＦ機能からの操作指令の優先度を、他のレンズ装置の停止指令よりも高くした場合のフォーカスレンズの状態である。ここでの優先度テーブルは表３で示すものである。図４（ｂ）では、各レンズ装置のフォーカスレンズ１００２を同じ位置に駆動させることができるが、レンズ装置ごとの撮像面の位置のずれ等によって、ピントが若干ずれてしまう。これに対して、表３の優先度テーブルを使用することによって、図４（ｃ）に示すように、ＡＦの操作指令のうち、現在の指令位置（位置ｐ）から所定の範囲ｎ内へのＡＦ機能によるフォーカス駆動に限り、他のレンズ装置の停止指令よりも優先度を高くすることで撮像面のずれによるピントのずれを補償することができる。
以上により、マスター・スレーブの同期駆動を損なうことなく、高精度にＡＦを行うことができる。
【００３９】
次に、図１の構成において、フォーカスレンズ１００２の駆動は図５に示した処理フローに従って処理されるものとする。
ステップＳ１００で処理を開始し、ステップＳ１０１では、駆動状態判別手段１００９により、３Ｄ同期運用モードかどうかを判別する。単体運用モードの場合はステップＳ１０２へ、３Ｄ同期運用モードの場合はステップＳ１０３へ移行する。ステップＳ１０２では、制御元情報出力部１０１４が制御元情報として単体駆動状態用の優先度テーブルを出力し、その情報に基づいて駆動指令決定手段１０１２が駆動指令を決定し、ステップＳ１０７へ移行する。
【００４０】
一方、ステップＳ１０３では、駆動状態判別手段１００９により、フォーカスがスレーブ駆動状態かどうかを判別する。マスター駆動状態の場合はステップＳ１０４へ、スレーブ駆動状態の場合はステップＳ１０６へ移行する。ステップＳ１０４では、制御元情報出力部１０１４が制御元情報としてマスター駆動状態用の優先度テーブルを出力し、その情報に基づいて駆動指令決定手段１０１２が駆動指令を決定し、ステップＳ１０５へ移行する。ステップＳ１０５では、操作指令生成部１０１３が、他のレンズ装置へ送る操作指令を生成し、出力する。その後、ステップＳ１０７へ移行する。
【００４１】
ステップＳ１０６では、制御元情報出力部１０１４が制御元情報としてスレーブ駆動状態用の優先度テーブルを出力し、その情報に基づいて駆動指令決定手段１０１２が駆動指令を決定し、ステップＳ１０７へ移行する。ステップＳ１０７では、駆動機構１００１は駆動指令に従ってフォーカスレンズ１００２を駆動し、処理を終わる。
【００４２】
以上、説明した様に、フォーカスがスレーブ駆動状態である場合は、優先度テーブルを切り替えて他のレンズ装置からの操作指令の優先度を上げる。これによって、他のレンズ装置以外からの操作指令によりスレーブ駆動状態側のフォーカスレンズ１００２だけが駆動してしまい、２本のレンズ装置の動きが異なってしまうことを防ぐことができる。
上記実施例では優先度テーブルを二種類用いて実現させたが、不図示の優先度切り替え手段を設け、スレーブ駆動状態時において一部の制御元からの操作指令の優先度を他のレンズ装置よりも高くできるようにしてもよい。
【００４３】
また、優先度テーブル１つに対して、スレーブ駆動状態と判断したら、特定の制御元からの操作指令を無効にするという方法を用いて同様の機能を実現させることもできる。例えば、表４に示す優先度テーブルのように、単体駆動・マスター駆動とスレーブ駆動で同等のものを利用している。そして、スレーブ駆動の場合には、カメラからの指令・デマンドからの操作指令・デマンドからの停止指令・通常のＡＦからの操作指令、すなわち、他のレンズ装置からの制御指令以外を無効にすることにより、基本的には同じ優先度テーブルを使用しながら、異なる優先順位での駆動指令に基づいてフォーカス駆動をしている。
【００４４】
【表４】
0005828656.tif 000005
【００４５】
これによって、表４のスレーブ駆動の場合は、表３の優先度テーブルの上位３つが残る形となり、上記実施例と同等の機能を実現できる。このように設定することにより１つの優先度テーブルのみを有して所望の駆動指令の処理をすることができる。なお、表４に示したように、単体駆動・マスター駆動時にも、他のレンズ装置から駆動指令が優先順位のリストに入っているが、他のレンズ装置から駆動指令が入力されることはないため、他のレンズ装置からの駆動指令で駆動することはない。従って、単体駆動・マスター駆動時には、「他のレンズ：操作指令」と「他のレンズ：停止指令」を無効に設定するようにしても、所望の優先順位に従って駆動指令を処理することができる。
【００４６】
さらに、制御元についての設定情報の変更手段を有する際、無効にした制御元についての設定情報の変更を許可しないようにしてもよい。制御元としてＡＦ機能を例にとると、設定情報としては有効・無効の設定や駆動方法の設定などがあり、変更手段としてはスイッチ等がある。表４に示したように、スレーブ駆動においてＡＦ機能を無効にした際はこれらの設定情報の変更を許可しないようにする。詳しくは実施例２で説明する。
【実施例２】
【００４７】
図６は本発明の第２の実施例の構成ブロック図である。本実施例の撮像システムは、同じ構成をもつレンズ装置Ａ２０とレンズ装置Ｂ２１を有し、カメラシステムとしての構成は第１の実施例と同じであり、図１と共通する構成要素には同符号を付す。
【００４８】
本実施例の撮像システムは、第１の実施例のシステムの構成に対し、制御元情報出力部１０１４を有さないこと、フォーカス操作機構１０１０を有さないこと、ＡＦ機能の有効・無効や動作方法を設定するＡＦ機能設定値設定手段２０１５を有することが異なる。ＡＦ機能設定値設定手段２０１５は、たとえばスイッチや、スイッチとディスプレイにより構成されたユーザーインターフェースで構成される。
【００４９】
ＡＦ機能制御部２０１１は、ＡＦ機能設定値設定手段２０１５の設定によりＡＦ機能が有効となりスレーブ駆動でない場合にのみ、位相差信号または映像信号またはその両方を用いて操作指令を生成する。駆動指令決定手段２０１２は、外部、または内部からの操作指令をレンズ装置内部の駆動指令に変換する。
【００５０】
本実施例では、駆動指令決定手段２０１２における駆動指令の決定方法はレンズ装置単体で運用する従来のレンズ装置と同様であるため、説明を省略する。
以上、図６の構成において、ＡＦの有効・無効設定は図７に示した処理フローに従って処理されるものとする。この処理フローのスタートは電源投入時、また駆動状態判別手段１００９が駆動状態の変化を判別した際に行われる。
【００５１】
ステップＳ２００で処理を開始し、ステップＳ２０１へ進む。
ステップＳ２０１では、駆動状態判別手段１００９により、３Ｄ同期運用モードかどうかを判別する。単体運用モードの場合はステップＳ２０３へ、３Ｄ同期運用モードの場合はステップＳ２０２へ移行する。ステップＳ２０２では、駆動状態判別手段１００９により、フォーカスがスレーブ駆動状態かどうかを判別する。フォーカスがマスターの場合はステップＳ２０３へ、スレーブの場合はステップＳ２０４へ移行する。
【００５２】
ステップＳ２０３では、従来と同様にＡＦ機能を利用できるように、ＡＦ機能制御部２０１１がＡＦ機能の有効・無効をＡＦ機能制御部に設定されている設定値にし、処理を終わる。
ステップＳ２０４では、ＡＦ機能に設定されている設定値にかかわらず、ＡＦ機能制御部２０１１がＡＦ機能を無効にする。
これによって、スレーブの場合はＡＦ機能が無効となり、ＡＦ機能から駆動指令決定手段２０１２に操作指令が入力されることがなくなる。また、ＡＦ機能を無効にすることで、レンズ装置内部の消費電力の削減やＣＰＵの負荷低減が見込まれる。
【００５３】
また、図６の構成において、ＡＦ機能の設定変更は図８に示した処理フローに従って処理される。処理はステップＳ２１０で開始し、ステップＳ２１１へ進む。
【００５４】
ステップＳ２１１では、ＡＦ機能設定値設定手段２０１５により、ＡＦ機能に関する設定が変更され、ステップＳ２１２へ移行する。ステップＳ２１２では、駆動状態判別手段１００９により３Ｄ同期運用モードかどうかを判別する。単体運用モードの場合はステップＳ２１４へ、３Ｄ同期運用モードの場合はステップＳ２１３へ移行する。ステップＳ２１３では、駆動状態判別手段１００９により、フォーカスにおいてスレーブかどうかを判別する。フォーカスがマスターの場合はステップＳ２１４へ、スレーブの場合はステップＳ２１５へ移行する。
【００５５】
ステップＳ２１４では、ＡＦ機能設定値設定手段２０１５により設定された設定値をＡＦ機能制御部２０１１に反映し、処理を終了する。ステップＳ２１５では、ＡＦ機能設定値設定手段２０１５により設定された設定値をＡＦ機能制御部２０１１に反映せずに、処理を終了する。
なお、設定された設定値を反映しなかった旨をＡＦ機能設定値設定手段２０１５に通知し、ユーザーに設定不可のメッセージを出力してもよい。
【００５６】
これによって、フォーカスにおいてスレーブであるレンズ装置では、ＡＦの有効・無効や動作方法の設定を変更しようとした場合でも、設定を反映させないようにすることができる。本実施例では、スレーブであるレンズ装置では、ＡＦの有効・無効や動作方法の設定を変更しようとした場合でも、設定を反映させないようにした。しかし、スレーブのレンズ装置で設定値を変更しようとしたら、マスターのレンズ装置に設定変更に関する情報を通信し、マスターのレンズ装置で設定の変更を反映するようにしてもよい。すると、スレーブのレンズ装置は、設定の変更が反映されたマスターのレンズ装置の駆動に追従することになるため、３Ｄシステムとしての駆動に設定の変更が反映されることになる。フォーカスレンズを駆動させる機能としてＡＦを例に挙げたが、他にも駆動を自動で再生する自動再生機能などが挙げられる。
【００５７】
本実施例では、フォーカスについてスレーブである場合に無効にする機能としてＡＦ機能を例に挙げたが、他にも自動再生機能や、レンズ装置に実装されている不図示のフォーカス操作機能などが挙げられる。また、フォーカス操作部材Ａ１２との通信機能や撮像装置・不図示のＰＣとの通信機能の一部であるフォーカス操作指令通信機能などを無効にすることも考えられる。このように一部の通信機能を無効にすることにより、通信の負荷を減らすという効果も期待できる。
【実施例３】
【００５８】
図９は本発明の第３の実施例の構成ブロック図である。本実施例の撮像システムは、同じ構成をもつレンズ装置Ａ３０とレンズ装置Ｂ３１を有し、図１または図６と共通する構成要素には同符号を付す。
【００５９】
ズーム操作部材３２及び３３は、それぞれレンズ装置Ａ３０及びレンズ装置Ｂ３１にズーム操作指令を与える。ズームレンズの駆動範囲を限定することができるズームトラッキング機能の有効・無効やトラッキング範囲などのトラッキング情報を設定するトラッキングの設定値設定手段３０１５である。ズームレンズの駆動範囲を限定する方法については後述する。
光学部材であるズームレンズ３００２である。ズームレンズ３００２を光軸方向へ進退駆動するためのモータ３００５である。ズームレンズ３００２の位置を検出する位置検出部３００３である。
【００６０】
後述する駆動指令決定手段３０１２からの駆動指令と、位置検出部３００３からの位置信号から、モータ３００５の駆動量を算出し、駆動量に対応した駆動電流を前記モータ３００５へ出力する駆動制御部３００４である。さらに駆動制御部３００４は、トラッキングの設定値設定手段３０１５からのトラッキング情報に従って、駆動範囲を制限させる機能も持つ。また、ズームレンズ３００２、モータ３００５、位置検出部３００３、駆動制御部３００４は、駆動機構３００１を構成する。
【００６１】
駆動指令決定手段３０１２は、外部、または内部からの操作指令を、レンズ装置内部の駆動指令に変換する。本実施例では、駆動指令決定手段３０１２における駆動指令の決定方法は単体で運用する従来のレンズ装置と同様であるため、説明を省略する。
【００６２】
操作指令生成部３０１３は、他のレンズ装置のズームレンズを同期制御するための操作指令を生成して、操作指令を他のレンズ装置に出力する。操作指令生成部３０１３の操作指令の生成には、駆動制御部３００４の持つズームレンズ３００２の駆動指令の情報や、位置検出部３００３で検出された現在のズームレンズ３００２の位置情報が利用される。
【００６３】
次に、図１０を用いて、本実施例での効果を説明する。
位置Ｐは、ズームにおいてマスターに設定されているレンズ装置のズームレンズ３００２の位置であり、マスターに設定されているレンズ装置は、他のレンズ装置に、ズームレンズが位置Ｐへ駆動するように操作指令を出力する。図１０中、Ｓ１１、Ｓ１２はそれぞれ、ズームがマスターに設定されているレンズ装置のズームレンズの広角側・望遠側の端である広角端・望遠端を示す。Ｓ２１、Ｓ２２も同様に、それぞれ、ズームがスレーブのレンズ装置におけるズームレンズの広角端、望遠端を示す。Ｔ１１、Ｔ１２はそれぞれ、ズームがマスターのレンズ装置に設定されている、広角側、望遠側のトラッキング端である。ズームレンズ３００２は、トラッキング機能が有効となっているとき、Ｔ１１よりも広角側、Ｔ１２よりも望遠側には駆動できない。Ｔ２１、Ｔ２２も同様に、ズームがスレーブのレンズ装置に設定されている、広角側、望遠側のトラッキング端である。
【００６４】
図１０（Ａ）は、ズームがマスターのレンズ装置でのズームレンズの駆動可能範囲Ｒ１を示し、トラッキング端Ｔ１１、Ｔ１２が設定されており、トラッキング機能が有効となっている。図１０（Ｂ）は、従来技術のように、ズームがスレーブに設定されているレンズ装置でのズームレンズの駆動可能範囲Ｒ２を示し、トラッキング端Ｔ２１、Ｔ２２が設定されており、トラッキング機能が有効となっている。図１０（Ｃ）は本実施例のように、トラッキング端Ｔ２１、Ｔ２２が設定されており、トラッキング機能を無効とした場合の、ズームがスレーブのレンズ装置でのズームレンズの駆動可能範囲Ｒ３を示す。
【００６５】
図１０（Ｂ）では、従来技術のように、トラッキング端が設定されて有効となっているので、ズームにおいてスレーブに設定されているレンズ装置のズームレンズ３００２をＴ２１よりも広角側に駆動することができない。よって、位置Ｐまで駆動できず、トラッキング端Ｔ２１の位置で停止する。そこで、図１０（Ｃ）で示すように、スレーブと判断した場合、トラッキング機能を無効にすることで、ズームレンズ３００２を位置Ｐまで駆動することができる。
以上により、マスター・スレーブの同期駆動を行うことができる。
【００６６】
次に、図９の構成において、トラッキング機能を駆動指令に適応させるかどうかの処理は、図１１に示した処理フローに従って処理されるものとする。
処理は、ステップＳ３００から開始され、ステップＳ３０８へ進む。ステップＳ３０８では、駆動指令決定手段３０１２が駆動指令を決定し、ステップＳ１０１へ移行する。ステップＳ１０１では、駆動状態判別手段１００９により、３Ｄ同期運用モードかどうかを判別する。単体運用モードの場合はステップＳ３０２へ、３Ｄ同期運用モードの場合はステップＳ１０３へ移行する。ステップＳ３０２では、駆動制御部３００４がトラッキングの設定値設定手段３０１５から設定されたトラッキング情報に基づいて、駆動指令をトラッキング範囲に限定し、ステップＳ１０７へ移行する。
【００６７】
一方、ステップＳ１０３では、駆動状態判別手段１００９により、フォーカスにおいてスレーブに設定されているかどうかを判別する。フォーカスがマスターに設定されている場合はステップＳ３０４へ、スレーブの場合はステップＳ３０６へ移行する。ステップＳ３０４では、駆動制御部３００４がトラッキングの設定値設定手段３０１５から設定されたトラッキング情報に基づいて、駆動指令をトラッキング範囲に限定し、ステップＳ１０５へ移行する。ステップＳ１０５では、操作指令生成部３０１３が、他のレンズ装置へ送る操作指令を生成し出力する。その後、ステップＳ１０７へ移行する。
【００６８】
ステップＳ３０６では、トラッキングの設定値設定手段３０１５の機能を無効とし、駆動制御部３００４は駆動指令を変更することなくステップＳ１０７へ移行する。
ステップＳ１０７では、駆動機構３００１は駆動指令に従ってズームレンズを駆動し、処理を終わる。
【００６９】
以上により、スレーブのレンズ装置に設定されているズームトラッキング機能によって、マスターに設定されている他のレンズ装置からの操作指令に対して駆動範囲を制限してしまい、２本のレンズ装置の動きが異なってしまうことを防ぐことができる。
また、第２の実施例の場合と同様に、スレーブに設定されているときには、トラッキングについての設定情報の変更を許可しないようにしてもよい。
【００７０】
トラッキングのような駆動の範囲を制限する機能の例として、所定の明るさを維持するために望遠側のズーム位置にリミットを設けるＦ−Ｈｏｌｄ機能や、駆動端の位置を調整するための端調整機能などが挙げられる。また、最高速度制限や最低速度制限などの駆動速度を制限する機能、動き出し特性や止まり際特性などの駆動のゲインを制限する機能に対しても同様の効果を得ることができる。
以上、第１〜第３の実施例によって本発明を例示して説明してきたが、ここで本発明の実施形態の派生形を示す。
【００７１】
第１〜第３の実施例では光学部材がフォーカスレンズまたはズームレンズの例で説明したが、実施例によってフォーカスレンズ・ズームレンズを入れ替えたり、光路にＩＥ（エクステンダー）レンズを挿脱したり、マクロレンズ、光学部材がアイリス機構、ＩＳ機構（防振機構、防振機能）、輻輳角調節機構に変えても同じ効果を得ることができる。フォーカスレンズを自動駆動させる機能としてＡＦを例に挙げたが、他にも自動再生機能などが挙げられる。ズームレンズを自動駆動させる機能としては、画角補正機能や自動再生機能（記憶したズーム位置に移動するショット機能や、記憶したズームの移動を再現するプリセット機能）などが挙げられる。アイリス機構を自動駆動させる機能としては、アイリス補正、クローズ検出などが挙げられる。ここで、アイリス補正とクローズ検出について簡単に説明する。
【００７２】
エクステンダーレンズの挿入による光量落ちを補正するため、暗くなった分の明るさを補償するようにアイリスを駆動させる機能がアイリス補正機能である。また、アイリス補正機能が有効で、かつエクステンダーレンズが挿入されていると、アイリスのクローズに相当する指令が入力されたときに、クローズ相当の指令に対して明るさを補正するための位置にアイリスが駆動し、アイリスがクローズしないという問題がある。そこで、アイリスに対してクローズ相当の指令が入力されたら、アイリス補正機能による補正を行わずにアイリスをクローズさせる機能がクローズ検出機能である。
【００７３】
駆動状態判別手段１００９は、運用モード設定手段１００７からの設定以外に、通信部１００６がレンズ装置Ｂ１１と接続されているかどうかを利用して単体運用モードか３Ｄ同期運用モードかを判別してもよい。同様に駆動状態判別手段１００９は、３Ｄ同期運用モードと判別した際、接続されている光学部材の操作部材や他の光学部材の駆動状態、またレンズ装置Ｂ１１の駆動状態などからスレーブ駆動状態・マスター駆動状態を自動的に判断してもよい。
【００７４】
また、今回は複数台での運用として２本のレンズ装置による３Ｄ同期撮影を例に挙げたが、２本以上のレンズ装置による多点撮像システム上での運用も考えられる。１つの方法として、図１２で示すように、１台のマスターに設定されているレンズ装置（レンズ装置Ｍ）と複数のスレーブに設定されているレンズ装置（レンズ装置Ｓ）がそれぞれ接続された多点撮影システムがある。この方法によって、全てのスレーブのレンズ装置は１台のマスターのレンズ装置に追従し、全てのレンズ装置において同期撮影が可能である。
【００７５】
また、別の方法として、図１３で示すような、１台のマスターに設定されたレンズ装置（レンズ装置Ｍ）を先頭に、複数台のレンズ装置（レンズ装置Ｒ、レンズ装置Ｓ）が直列に接続された多点撮像システムも考えられる。この方法の場合、単体運用モード、マスター駆動状態、スレーブ駆動状態に加えて、他のレンズ装置からの操作指令を元に駆動し、さらに他のレンズ装置へ操作指令を出す、同期中継運用モードがあっても良い。図１３において、同期中継運用モードに設定されたレンズ装置（レンズ装置Ｒ）では、制御元情報出力部はスレーブ駆動状態と同様の処理を行い、操作指令生成部は受信した他のレンズ装置からの操作指令をそのまま出力する。直列に接続された末端のレンズ装置はスレーブに設定されたレンズ装置（レンズ装置Ｓ）となる。これによって、複数台のレンズ装置がマスターのレンズ装置を先頭に、直列に連なった多点撮像システムでも本発明の上記した実施例の派生形の本発明のレンズ装置が適応可能である。
【００７６】
なお、実施例ではレンズ装置を対象として説明したが、レンズ装置を内蔵した撮像システムにおいても同様の効果を発揮することができる。
以上、本発明の好ましい実施形態について説明したが、本発明はこれらの実施形態に限定されず、その要旨の範囲内で種々の変形及び変更が可能である。
【符号の説明】
【００７７】
１０、１１、２０、２１、３０、３１  レンズ装置
１００２  フォーカスレンズ
１００４  フォーカス駆動制御部
１００６  通信部
１００７  運用モード設定手段
１００８  マスター・スレーブ設定手段
１００９  駆動状態判別手段
１０１２  フォーカス駆動指令決定手段
１０１３  フォーカス操作指令生成部
１０１４  制御元情報出力部
【図１】
0005828656.tif 000006
【図２】
0005828656.tif 000007
【図３】
0005828656.tif 000008
【図４】
0005828656.tif 000009
【図５】
0005828656.tif 000010
【図６】
0005828656.tif 000011
【図７】
0005828656.tif 000012
【図８】
0005828656.tif 000013
【図９】
0005828656.tif 000014
【図１０】
0005828656.tif 000015
【図１１】
0005828656.tif 000016
【図１２】
0005828656.tif 000017
【図１３】
0005828656.tif 000018